(57)【特許請求の範囲】
【請求項１】
送信ベースバンド信号を出力し、受信ベースバンド信号を入力として受けて処理すると共に、ダミーデータをベースバンド信号に変換して送受信し、送信したダミーデータと受信したダミーデータとを比較して得た比較結果に基づいて、前記ダミーデータのベースバンド信号の信号経路中にある無線送受信部の故障検出をするベースバンド信号処理部と、
入力されたベースバンド信号は送信無線周波数信号に変換し、入力された受信無線周波数信号はベースバンド信号に変換する現用系の無線送受信部及び予備系の無線送受信部と、
入力された前記送信無線周波数信号を無線送信する送信アンテナと、
無線送信信号を受信して前記受信無線周波数信号を出力する受信アンテナと、
入力された前記送信無線周波数信号を前記受信無線周波数信号に変換して出力する周波数変換部と、
前記現用系の無線送受信部及び前記予備系の無線送受信部のうち、選択した一方の無線送受信部に対して、前記ベースバンド信号処理部から出力される前記送信ベースバンド信号を入力すると共に、該一方の無線送受信部からの前記受信ベースバンド信号を前記ベースバンド信号処理部に供給する第１のベースバンドスイッチ手段と、
前記現用系の無線送受信部及び前記予備系の無線送受信部のうち、前記第１のベースバンドスイッチ手段により選択されていない他方の無線送受信部に対して、前記ベースバンド信号処理部から出力される前記ダミーデータの送信ベースバンド信号を入力すると共に、該他方の無線送受信部からの前記ダミーデータの受信ベースバンド信号を前記ベースバンド信号処理部に供給する第２のベースバンドスイッチ手段と、
前記現用系の無線送受信部及び前記予備系の無線送受信部のうち、前記送信ベースバンド信号が入力される無線送受信部から出力された前記送信無線周波数信号を前記送信アンテナへ入力する第１の無線スイッチと、
前記現用系の無線送受信部及び前記予備系の無線送受信部のうち、前記送信ベースバンド信号が入力される無線送受信部へ前記受信アンテナで受信して得た前記受信無線周波数信号を入力する第２の無線スイッチと、
前記第２のベースバンドスイッチ手段により前記ダミーデータの送信ベースバンド信号が入力される無線送受信部から出力された前記送信無線周波数信号を前記周波数変換部へ供給し、該周波数変換部から出力された前記受信無線周波数信号を該ダミーデータの送信ベースバンド信号が入力される無線送受信部に供給する第３の無線スイッチと
を有することを特徴とする無線送受信装置。
【請求項２】
前記第１のベースバンドスイッチ手段は、前記ベースバンド信号処理部から出力された前記送信ベースバンド信号を前記現用系の無線送受信部又は前記予備系の無線送受信部へ供給する第１のベースバンドスイッチと、前記現用系の無線送受信部又は前記予備系の無線送受信部から出力された前記受信ベースバンド信号を前記ベースバンド信号処理部へ供給する第２のベースバンドスイッチとよりなることを特徴とする請求項１記載の無線送受信装置。
【請求項３】
前記ベースバンド信号処理部は、前記第２のベースバンドスイッチ手段へ前記ダミーデータの送信ベースバンド信号を出力すると共に、該第２のベースバンドスイッチ手段からの前記ダミーデータの受信ベースバンド信号を入力として受け、前記ダミーデータと受信ベースバンド信号を復調して得た受信ダミーデータとを比較して得た比較結果に基づいて、前記ダミーデータのベースバンド信号の信号経路中にある無線送受信部の故障検出をするダミーデータ処理部を有することを特徴とする請求項１記載の無線送受信装置。
【請求項４】
前記ダミーデータ処理部は、前記ダミーデータを生成する生成部と、前記生成部から出力された前記ダミーデータを変調して前記ダミーデータの送信ベースバンド信号を出力する変調器と、前記第２のベースバンドスイッチ手段からの前記ダミーデータの受信ベースバンド信号を復調して前記受信ダミーデータを出力する復調器と、前記生成部から出力された前記ダミーデータと前記受信ダミーデータとを比較して得た比較結果に基づいて、前記ダミーデータのベースバンド信号の信号経路中にある無線送受信部の故障検出をする比較手段とを有することを特徴とする請求項３記載の無線送受信装置。
【請求項５】
前記周波数変換部は、ローカル信号を発生するローカル信号発生器と、入力された前記送信無線周波数信号を前記ローカル信号で周波数変換を行って前記受信無線周波数信号に変換するミキサとよりなり、前記ミキサより出力された前記受信無線周波数信号中の不要輻射成分は、該受信無線周波数信号が入力される無線送受信部内のフィルタを利用して除去することを特徴とする請求項１記載の無線送受信装置。
【請求項６】
Ｍ個（Ｍは２以上の整数）の送信ベースバンド信号を出力し、Ｍ個の受信ベースバンド信号を入力として受けて処理すると共に、ダミーデータをベースバンド信号に変換して送受信し、送信したダミーデータと受信したダミーデータとを比較して得た比較結果に基づいて、前記ダミーデータのベースバンド信号の信号経路中にある無線送受信部の故障検出をするベースバンド信号処理部と、
入力されたベースバンド信号は送信無線周波数信号に変換し、入力された受信無線周波数信号はベースバンド信号に変換するＭ個の現用系の無線送受信部及び一つの予備系の無線送受信部と、
入力された前記送信無線周波数信号を無線送信するＭ個の送信アンテナと、
無線送信信号を受信して前記受信無線周波数信号を出力するＭ個の受信アンテナと、
入力された前記送信無線周波数信号を前記受信無線周波数信号に変換して出力する周波数変換部と、
前記Ｍ個の現用系の無線送受信部及び前記一つの予備系の無線送受信部のうち、選択したＭ個の無線送受信部に対して、前記ベースバンド信号処理部から出力される前記Ｍ個の送信ベースバンド信号を別々に入力すると共に、該Ｍ個の無線送受信部からの前記Ｍ個の受信ベースバンド信号を前記ベースバンド信号処理部に供給する第１のベースバンドスイッチ手段と、
前記Ｍ個の現用系の無線送受信部及び前記一つの予備系の無線送受信部のうち、前記第１のベースバンドスイッチ手段により選択されていない一つの無線送受信部に対して、前記ベースバンド信号処理部から出力される前記ダミーデータの送信ベースバンド信号を入力すると共に、該一つの無線送受信部からの前記ダミーデータの受信ベースバンド信号を前記ベースバンド信号処理部に供給する第２のベースバンドスイッチ手段と、
前記Ｍ個の現用系の無線送受信部及び前記一つの予備系の無線送受信部のうち、前記Ｍ個の送信ベースバンド信号が別々に入力されるＭ個の無線送受信部から出力された前記送信無線周波数信号を前記Ｍ個の送信アンテナへ別々に入力する第１の無線スイッチと、
前記Ｍ個の現用系の無線送受信部及び前記一つの予備系の無線送受信部のうち、前記Ｍ個の送信ベースバンド信号が別々に入力されるＭ個の無線送受信部へ前記Ｍ個の受信アンテナで受信して得たＭ個の前記受信無線周波数信号を別々に入力する第２の無線スイッチと、
前記第２のベースバンドスイッチ手段により前記ダミーデータの送信ベースバンド信号が入力される一つの無線送受信部から出力された前記送信無線周波数信号を前記周波数変換部へ供給し、該周波数変換部から出力された前記受信無線周波数信号を該ダミーデータの送信ベースバンド信号が入力される一つの無線送受信部に供給する第３の無線スイッチと
を有することを特徴とする無線送受信装置。
【請求項７】
現用系運用時は、前記第２のベースバンドスイッチ手段により前記ダミーデータの送信ベースバンド信号が入力される一つの無線送受信部は前記予備系の無線送受信部であり、該予備系の無線送受信部の故障検出を行うことを特徴とする請求項６記載の無線送受信装置。
【請求項８】
前記Ｍ個の現用系の無線送受信部の一つに故障があったときは、故障検出された一つの前記現用系の無線送受信部に対して、前記第２のベースバンドスイッチ手段によりダミーデータの送信ベースバンド信号が入力されると共に、前記第３の無線スイッチにより前記周波数変換部からの受信無線周波数信号を前記故障検出された一つの現用系の無線送受信部に入力し、前記第１のベースバンドスイッチ手段により、前記ベースバンド信号処理部から出力される前記Ｍ個の送信ベースバンド信号のうちのＭ−１個を故障検出されていないＭ−１個の前記現用系の無線送受信部に入力すると共に、残りの一つの送信ベースバンド信号を前記予備系の無線送受信部に入力し、該Ｍ−１個の現用系の無線送受信部からの前記Ｍ−１個の受信ベースバンド信号と前記予備系の無線送受信部からの前記受信ベースバンド信号を前記ベースバンド信号処理部に供給し、前記故障検出された一つの前記現用系の無線送受信部の故障検出を行うことを特徴とする請求項６記載の無線送受信装置。
【発明の詳細な説明】
【０００１】
【発明の属する技術分野】
本発明は無線送受信装置に係り、特に現用系の無線送受信部と予備系の無線送受信部を有する周波数分割複信（ＦＤＤ）方式の無線送受信装置に関する。
【０００２】
【従来の技術】
現用系の無線送受信部と予備系の無線送受信部を有するＦＤＤ方式の無線送受信装置において、現用系の無線送受信部の故障検出方法としては、送信部の故障検出であれば、通常、無線送受信部の送信部の出力側に分配器（ＨＹＢ）等を設けて送信信号を分配し、一方をダイオード検波等で検波して出力レベルを監視する方法がある。
【０００３】
また、従来、受信部の故障検出は、特許第２５０３８８９号公報に記載されているように、パイロット信号発生器からのパイロット信号を受信信号と合成し、その合成信号を増幅してから送受信装置内の受信機でパイロット信号を同調受信し、その同調受信したパイロット信号の電界強度を検出し、この検出電界強度を予め設定されている正常動作時の基準レベルと比較し、ある一定値以上の差があった場合に故障と判断する方法が知られている。しかし、このパイロット信号発生器を本来必要な送受信機以外に備えることは装置全体が高価になるので、特許第２５０３８８９号公報記載の発明では、アンテナ共用器において一定の規格値で受信回路側に回り込む漏洩した送信信号を、受信部の故障検出の判断に用いるようにしている。
【０００４】
【発明が解決しようとする課題】
しかるに、上記のダイオード検波等で検波して出力レベルを監視する従来装置では、受信無線周波数を生成し、かつ、ディジタルフィルタ等のディジタル回路の故障を検出するために変調器を設けなくてはならず、装置が非常に高価になるという問題がある。また、特許第２５０３８８９号公報記載の従来装置では、パイロット信号発生器を有しないので安価に構成できる反面、アンテナ共用器の漏洩電力を入力源としているため、漏洩レベルの変動により故障検出精度に欠けるという問題がある。
【０００５】
更に、従来の無線送受信装置では、現用系の無線送受信部に故障が発生した場合は、予備系の無線送受信部に切替え、故障発生した現用系の無線送受信部を交換した後、再び現用系の無線送受信部に切り替える構成であるため、交換した無線送受信部も故障している場合は、システムダウンを引き起こしてしまうという問題がある。
【０００６】
本発明は以上の点に鑑みなされたもので、安価な構成で検出精度良く故障を検出し得る無線送受信装置を提供することを目的とする。
【０００７】
また、本発明の他の目的は、システムダウンを引き起こすことがない無線送受信装置を提供することにある。
【０００８】
【課題を解決するための手段】
本発明は上記の目的を達成するため、送信ベースバンド信号を出力し、受信ベースバンド信号を入力として受けて処理すると共に、ダミーデータをベースバンド信号に変換して送受信し、送信したダミーデータと受信したダミーデータとを比較して得た比較結果に基づいて、ダミーデータのベースバンド信号の信号経路中にある無線送受信部の故障検出をするベースバンド信号処理部と、入力されたベースバンド信号は送信無線周波数信号に変換し、入力された受信無線周波数信号はベースバンド信号に変換する現用系の無線送受信部及び予備系の無線送受信部と、入力された送信無線周波数信号を無線送信する送信アンテナと、無線送信信号を受信して受信無線周波数信号を出力する受信アンテナと、入力された送信無線周波数信号を受信無線周波数信号に変換して出力する周波数変換部と、現用系の無線送受信部及び予備系の無線送受信部のうち、選択した一方の無線送受信部に対して、ベースバンド信号処理部から出力される送信ベースバンド信号を入力すると共に、該一方の無線送受信部からの受信ベースバンド信号をベースバンド信号処理部に供給する第１のベースバンドスイッチ手段と、現用系の無線送受信部及び予備系の無線送受信部のうち、第１のベースバンドスイッチ手段により選択されていない他方の無線送受信部に対して、ベースバンド信号処理部から出力されるダミーデータの送信ベースバンド信号を入力すると共に、該他方の無線送受信部からのダミーデータの受信ベースバンド信号をベースバンド信号処理部に供給する第２のベースバンドスイッチ手段と、現用系の無線送受信部及び予備系の無線送受信部のうち、送信ベースバンド信号が入力される無線送受信部から出力された送信無線周波数信号を送信アンテナへ入力する第１の無線スイッチと、現用系の無線送受信部及び予備系の無線送受信部のうち、送信ベースバンド信号が入力される無線送受信部へ受信アンテナで受信して得た受信無線周波数信号を入力する第２の無線スイッチと、第２のベースバンドスイッチ手段によりダミーデータの送信ベースバンド信号が入力される無線送受信部から出力された送信無線周波数信号を周波数変換部へ供給し、該周波数変換部から出力された受信無線周波数信号を該ダミーデータの送信ベースバンド信号が入力される無線送受信部に供給する第３の無線スイッチとを有する構成としたものである。
【０００９】
この発明では、現用系の無線送受信部から出力された送信無線周波数信号を第１の無線スイッチを通して送信アンテナから送信し、受信アンテナで受信した受信無線周波数信号を第２の無線スイッチを通して現用系の無線送受信部へ入力する現用系運用時には、第２のベースバンドスイッチ手段によりダミーデータの送信ベースバンド信号が予備系の無線送受信部に入力され、更に第３の無線スイッチ、周波数変換部、第３の無線スイッチを通して予備系の無線送受信部に入力され、更に第２のベースバンドスイッチ手段を通してダミーデータの受信ベースバンド信号がベースバンド信号処理部に入力されるため、予備系の無線送受信部の故障検出がダミーデータを用いて行える。
【００１０】
同様に、予備系の無線送受信部から出力された送信無線周波数信号を第１の無線スイッチを通して送信アンテナから送信し、受信アンテナで受信した受信無線周波数信号を第２の無線スイッチを通して予備系の無線送受信部へ入力する予備系運用時には、現用系の無線送受信部の故障検出がダミーデータを用いて行える。
【００１１】
また、本発明は上記の目的を達成するため、周波数変換部は、ローカル信号を発生するローカル信号発生器と、入力された送信無線周波数信号をローカル信号で周波数変換を行って受信無線周波数信号に変換するミキサとよりなり、ミキサより出力された受信無線周波数信号中の不要輻射成分は、受信無線周波数信号が入力される無線送受信部内のフィルタを利用して除去することを特徴とする。この発明では、構成を簡略化できる。
【００１２】
また、本発明は上記の目的を達成するため、Ｍ個（Ｍは２以上の整数）の送信ベースバンド信号を出力し、Ｍ個の受信ベースバンド信号を入力として受けて処理すると共に、ダミーデータをベースバンド信号に変換して送受信し、送信したダミーデータと受信したダミーデータとを比較して得た比較結果に基づいて、ダミーデータのベースバンド信号の信号経路中にある無線送受信部の故障検出をするベースバンド信号処理部と、入力されたベースバンド信号は送信無線周波数信号に変換し、入力された受信無線周波数信号はベースバンド信号に変換するＭ個の現用系の無線送受信部及び一つの予備系の無線送受信部と、入力された送信無線周波数信号を無線送信するＭ個の送信アンテナと、無線送信信号を受信して受信無線周波数信号を出力するＭ個の受信アンテナと、入力された送信無線周波数信号を受信無線周波数信号に変換して出力する周波数変換部と、Ｍ個の現用系の無線送受信部及び一つの予備系の無線送受信部のうち、選択したＭ個の無線送受信部に対して、ベースバンド信号処理部から出力されるＭ個の送信ベースバンド信号を別々に入力すると共に、Ｍ個の無線送受信部からのＭ個の受信ベースバンド信号をベースバンド信号処理部に供給する第１のベースバンドスイッチ手段と、Ｍ個の現用系の無線送受信部及び一つの予備系の無線送受信部のうち、第１のベースバンドスイッチ手段により選択されていない一つの無線送受信部に対して、ベースバンド信号処理部から出力されるダミーデータの送信ベースバンド信号を入力すると共に、一つの無線送受信部からのダミーデータの受信ベースバンド信号をベースバンド信号処理部に供給する第２のベースバンドスイッチ手段と、Ｍ個の現用系の無線送受信部及び一つの予備系の無線送受信部のうち、Ｍ個の送信ベースバンド信号が別々に入力されるＭ個の無線送受信部から出力された送信無線周波数信号をＭ個の送信アンテナへ別々に入力する第１の無線スイッチと、Ｍ個の現用系の無線送受信部及び一つの予備系の無線送受信部のうち、Ｍ個の送信ベースバンド信号が別々に入力されるＭ個の無線送受信部へＭ個の受信アンテナで受信して得たＭ個の受信無線周波数信号を別々に入力する第２の無線スイッチと、第２のベースバンドスイッチ手段によりダミーデータの送信ベースバンド信号が入力される一つの無線送受信部から出力された送信無線周波数信号を周波数変換部へ供給し、周波数変換部から出力された受信無線周波数信号をダミーデータの送信ベースバンド信号が入力される一つの無線送受信部に供給する第３の無線スイッチとを有する構成としたものである。
【００１３】
この発明では、送信アンテナ及び受信アンテナに接続されていない一つの無線送受信部に対して、ダミーデータの送信ベースバンド信号が入力され、また周波数変換部から出力された受信無線周波数信号が入力されてダミーデータの受信ベースバンド信号に変換された後、ベースバンド信号処理部に入力されるため、上記の一つの無線送受信部の故障検出ができる。
【００１４】
【発明の実施の形態】
次に、本発明の実施の形態について、図面と共に説明する。図１は本発明になる無線送受信装置の一実施の形態のブロック図を示す。同図に示すように、この実施の形態は、ベースバンド信号処理部１と、ベースバンドスイッチ５、６及び７と、無線送受信部８及び１１と、無線スイッチ１４、１５及び１６と、周波数変換部１７と、アンテナ１８及び１９とより構成される。
【００１５】
ベースバンド信号処理部１は、送信データ処理部２、受信データ処理部３及びダミーデータ処理部４から構成されている。送信データ処理部２は、送信ベースバンド信号をベースバンドスイッチ５の端子１０１に出力する。受信データ処理部３は、受信ベースバンド信号がベースバンドスイッチ６の端子１０４から入力される。ダミーデータ処理部４は、ダミーデータの送信ベースバンド信号をベースバンドスイッチ７の端子１０７に出力する一方、ダミーデータの受信ベースバンド信号がベースバンドスイッチ７の端子１１０から入力される。
【００１６】
ベースバンドスイッチ５は、１回路２接点型であり、出力が２接点で、一方の出力端子１００が無線送受信部８の送信部９及びベースバンドスイッチ７の端子１０６に接続され、他方の出力端子１０２が、無線送受信部１１の送信部１２及びベースバンドスイッチ７の端子１０８に接続されており、現用系運用時と現用系故障時で、ベースバンド信号処理部１の送信データ処理部２の、無線送受信部８の送信部９と無線送受信部１１の送信部１２との接続を切り替える。
【００１７】
ベースバンドスイッチ６は、１回路２接点型であり、入力が２接点で、一方の入力端子１０３が無線送受信部８の受信部１０及びベースバンドスイッチ７の端子１０９に接続され、他方の入力端子１０５が、無線送受信部１１の受信部１３及びベースバンドスイッチ７の端子１１１に接続されており、現用系運用時と現用系故障時とで、ベースバンド信号処理部１の受信データ処理部３の、無線送受信部８の受信部１０と無線送受信部１１の受信部１３との接続を切り替える。
【００１８】
また、ベースバンドスイッチ７は、２回路２接点型であり、ダミーデータ処理部４からの信号が端子１０７に入力され、出力端子１０６及び１０８の一方に選択出力し、また、受信部１０から入力端子１０９に入力された受信信号と、受信部１３から入力端子１１１に入力された受信信号の一方を出力端子１１０からダミーデータ処理部４へ出力する構成とされている。
【００１９】
このベースバンドスイッチ７は、現用系運用時と現用系故障時で、ベースバンド信号処理部１のダミーデータ処理部４の、無線送受信部８と無線送受信部１１との接続を切り替えるスイッチである。これにより、ダミーデータ処理部４は、ベースバンドスイッチ７で選択された無線送受信部８の送信部９又は無線送受信部１１の送信部１２にダミーデータの送信ベースバンド信号を出力する。
【００２０】
無線送受信部８は送信部９と受信部１０からなり、そのうち、送信部９はベースバンドスイッチ５の端子１００又はベースバンドスイッチ７の端子１０６から送信ベースバンド信号を入力として受け、これを送信無線周波数信号に変換し、無線スイッチ１４の端子１１２及び無線スイッチ１６の端子１１８に出力する。また、無線送受信部８の受信部１０は、無線スイッチ１５の端子１１５又は無線スイッチ１６の端子１２１から受信無線周波数信号を入力として受け、受信ベースバンド信号に変換し、ベースバンドスイッチ６の端子１０３及びベースバンドスイッチ７の端子１０９に出力する。
【００２１】
無線送受信部１１は送信部１２と受信部１３からなり、そのうち、送信部１２はベースバンドスイッチ５の端子１０２又はベースバンドスイッチ７の端子１０８から送信ベースバンド信号を入力として受け、これを送信無線周波数信号に変換し、無線スイッチ１４の端子１１４及び無線スイッチ１６の端子１２０に出力する。また、無線送受信部１１の受信部１３は、無線スイッチ１５の端子１１７又は無線スイッチ１６の端子１２３から受信無線周波数信号を入力として受け、これを受信ベースバンド信号に変換し、ベースバンドスイッチ６の端子１０５及びベースバンドスイッチ７の端子１１１に出力する。
【００２２】
無線スイッチ１４は、１回路２接点型であり、入力が２接点で、一方の入力端子１１２は、送信部９及び無線スイッチ１６の端子１１８に接続され、他方の入力端子１１４は、送信部１２及び無線スイッチ１６の端子１２０に接続されている。また、無線スイッチ１４の出力端子１１５は、アンテナ１８に接続されており、送信無線周波数信号を出力する。これにより、無線スイッチ１４は、現用系運用時と現用系故障時とで、アンテナ１８の、無線送受信部８の送信部９と無線送受信部１１の送信部１２との接続を切り替える。
【００２３】
無線スイッチ１５は、１回路２接点型であり、端子１１６からアンテナ１９より受信無線周波数信号を入力し、出力が２接点で、一方の出力端子１１５は、受信部１０及び無線スイッチ１６の端子１２１にそれぞれ接続され、他方の出力端子１１７は、受信部１３及び無線スイッチ１６の端子１２３に接続されている。これにより、無線スイッチ１５は、現用系運用時と現用系故障時とで、アンテナ１９の、無線送受信部８の受信部１０と無線送受信部１１の受信部１３との接続を切り替える。
【００２４】
また、無線スイッチ１６は、２回路２接点型であり、一方の回路は、入力が２接点で、一方の入力端子１１８は無線スイッチ１４の端子１１２と送信部９にそれぞれ接続され、他方の入力端子１２０は無線スイッチ１４の端子１１４と送信部１２にそれぞれ接続される。また、無線スイッチ１６の出力端子１１９は周波数変換部１７に接続されており、送信無線周波数信号を出力する。また、他方の回路は、無線スイッチ１６の端子１２２から周波数変換部１７より受信無線周波数信号を入力するが出力が２接点で、一方の出力端子１２１は、無線スイッチ１５の端子１１５と受信部１０に接続され、他方の出力端子１２３は無線スイッチ１５の端子１１７と受信部１３に接続されており、受信無線周波数信号を出力する。この無線スイッチ１６は、現用系運用時と現用系故障時とで、周波数変換部１７の、無線送受信部８と無線送受信部１１との接続を切り替える。
【００２５】
周波数変換部１７は、無線スイッチ１６の端子１１９より送信無線周波数信号を入力として受け、受信無線周波数信号に変換し、無線スイッチ１６の端子１２２に送信無線周波数信号を出力する。また、アンテナ１８は送信無線周波数信号を無線スイッチ１４より入力されて外部に出力する。また、アンテナ１９は受信無線周波数信号を外部より入力として受け、無線スイッチ１５の端子１１６に出力する。
【００２６】
また、周波数変換部１７は図６に示すように、ＰＬＬ回路４０とミキサ４１とからなり、ミキサ４１において無線スイッチ１６の端子１１９から入力される送信無線周波数信号と、ＰＬＬ回路４０から入力されるローカル信号とにより、送信無線周波数を受信無線周波数に変換し、無線スイッチ１６の端子１２２へその受信無線周波数信号を出力する。ＰＬＬ回路４０が生成する上記のローカル信号は、送信無線周波数と受信無線周波数の差の周波数成分である。
【００２７】
図１に示すダミーデータ処理部４は、図７のブロック図に示す構成とされている。図７において、ダミーデータ生成部４２はダミーデータを生成して変調器４３と遅延回路４５にそれぞれ入力する。また、変調器４３は、ダミーデータに変調をかけ、送信ベースバンド信号としてベースバンドスイッチ７に出力する。また、遅延回路４５は、送信ベースバンド信号が受信ベースバンド信号として復調器４４に戻る迄の伝搬時間分、ダミーデータを遅延させ、比較回路４６に入力する。
【００２８】
また、復調器４４は、ベースバンドスイッチ７から出力された受信ベースバンド信号を入力として受け、受信ベースバンド信号を復調し、比較回路４６に入力する。また、比較回路４６は、送信したダミーデータと受信したダミーデータを比較し、データに誤りがないか比較する。これにより、ダミーデータ処理部４は、ベースバンドスイッチ７で選択された無線送受信部８の受信部１０又は無線送受信部１１の受信部１３からの受信ベースバンド信号と、ベースバンドスイッチ７出力した送信ベースバンド信号を比較回路４６で比較し、その比較結果に基づいて、無線送受信部８又は無線送受信部１１の故障検出を行う。
【００２９】
なお、図１に示す送信データ処理部２は、送信データの誤り訂正符号化、フレーム化を施し、送信ベースバンド信号を生成する部位であり、受信データ処理部３は、受信ベースバンド信号のチップ同期、誤り訂正復号化を施す部位である。
【００３０】
かかる構成の本実施の形態によれば、現用系運用時に予備系の無線送受信部１１の送信部１２と受信部１３を、周波数変換部１７を経由して接続するようにスイッチを切り替え制御することにより、予備系の無線送受信部１１とベースバンド信号処理部１のダミーデータ処理部４の間でデータの送受信を行うことができるので、予備系の無線送受信部１１を常時故障検出できる。また、現用系故障時に、現用系の無線送受信部８の送信部９と受信部１０を、周波数変換部１７を経由して接続するようにスイッチを切り替え接続することにより、現用系の無線送受信部８を交換した後に、現用系の無線送受信部８とベースバンド信号処理部１のダミーデータ処理部４の間でデータの送受信を行うことができるので、交換した現用系の無線送受信部８の故障検出ができる。
【００３１】
次に、図１の実施の形態の動作を、図２乃至図７を使用して詳細に説明する。図２は、図１の無線送受信装置において、現用系運用時のベースバンドスイッチ５、ベースバンドスイッチ６、ベースバンドスイッチ７、無線スイッチ１４、無線スイッチ１５及び無線スイッチ１６の接続状態を示し、また信号伝送経路を太線で示す。
【００３２】
図２において、ベースバンド信号処理部１の送信データ処理部２より生成された送信データは、ベースバンド信号として、ベースバンドスイッチ５に入力されるが、ベースバンドスイッチ５は、ベースバンド信号処理部１の送信データ処理部２とベースバンドスイッチ７及び無線送受信部８の送信部９が接続されるように選択されているために、一方はベースバンドスイッチ７に入力され、他方は現用系の無線送受信部８の送信部９に入力される。このとき一方のベースバンド信号は、ベースバンドスイッチ７が、ベースバンドスイッチ５と他の部が接続されないように選択されているためどこにも出力されない。また、他方のベースバンド信号は、無線送受信部８の送信部９に入力され、送信無線周波数信号に変換される。
【００３３】
ここで、送信部９は送信部１２と同一構成であり、例えば図４のブロック図の構成とされている。図４はダブルスーパーヘテロダイン方式の例である。送信部９は、ベースバンド信号処理部１の送信データ処理部２で生成された送信ベースバンド信号を、図４のディジタルフィルタ２０でフィルタリングし、Ｄ／Ａ変換器２１でアナログ信号に変換した後、ＰＬＬ回路２２より供給されるローカル信号によりミキサ２３で周波数変換する。更に、このミキサ２３で周波数変換した送信信号をフィルタ２４によりミキサ２３で発生した不要輻射を除去し、アンプ２５で増幅した後、ＰＬＬ回路２６より供給されるローカル信号によりミキサ２７でさらに周波数変換し、システムにより定められた無線周波数まで周波数変換し、更に、フィルタ２８によりミキサ２７で発生した不要幅射を除去し、アンプ２９で増幅して送信無線周波数信号として出力する。
【００３４】
この送信無線周波数信号は、図２に示すように一方は無線スイッチ１６に入力され、他方は無線スイッチ１４に入力される。このとき一方の送信無線周波数信号は、無線スイッチ１６が無線送受信部８の送信部９と他の部が接続されないように選択されているためどこにも出力はされない。また、他方の送信無線周波数信号は、無線スイッチ１４が無線送受信部８の送信部９とアンテナ１８が接続されるように選択されているために、無線スイッチ１４を通してアンテナ１８に入力され、アンテナ１８より外部に無線送信される。
【００３５】
一方、アンテナ１９により受信された受信無線周波数信号は、無線スイッチ１５に入力されるが、無線スイッチ１５がアンテナ１９と無線スイッチ１６及び無線送受信部８の受信部１０が接続されるように制御されているために、一方は無線スイッチ１６に入力され、他方は無線送受信部８の受信部１０に入力される。このとき一方の受信無線周波数信号は、無線スイッチ１６が無線スイッチ１５と他の部が接続されないように選択されているためどこにも出力されない。また、他方の受信無線周波数信号は、無線送受信部８の受信部１０に入力され、受信ベースバンド信号に変換される。
【００３６】
ここで、受信部１０は受信部１３と同一構成であり、例えば図５のブロック図の構成とされている。図５はダブルスーパーヘテロダイン方式の例である。図５に示す受信部１０は、入力された受信無線周波数信号を低雑音指数（ＮＦ）のアンプ３０で増幅した後、フィルタ３１により外部より入力した不要輻射を除去し、ＰＬＬ回路３２より供給されるローカル信号によりミキサ３３で周波数変換し、更にフィルタ３４により、ミキサ３３で発生した不要輻射を除去し、可変利得アンプ３５で以降の信号レベルが一定となるようにレベル調整した後、ＰＬＬ回路３６より供給されるローカル信号によりミキサ３７でさらに周波数変換し、ディジタル処理可能な周波数まで周波数変換する。受信部１０は、このミキサ３７の出力信号をＡ／Ｄ変換部３８でディジタル信号に変換し、ディジタルフィルタ３９により、ミキサ３７で発生した不要幅射を除去した後、受信ベースバンド信号として出力する。
【００３７】
この受信部１０から出力された受信ベースバンド信号は、図２に示すように一方はベースバンドスイッチ７に入力され、他方はベースバンドスイッチ６に入力される。このとき一方の受信ベースバンド信号は、ベースバンドスイッチ７が無線送受信部８の受信部１０と他の部が接続されないように選択されているためどこにも出力されない。また、他方の受信ベースバンド信号は、ベースバンドスイッチ６に入力される。このときベースバンドスイッチ６が、無線送受信部８の受信部１０とベースバンド信号処理部１の受信データ処理部３が接続されるように選択されているために、ベースバンドスイッチ６を通してベースバンド信号処理部１の受信データ処理部３に入力され、現用系の無線送受信部８が無線送受信機能部として動作している。
【００３８】
また、現用系運用時、ベースバンド信号処理部１のダミーデータ処理部４より生成されたダミー送信データは、ベースバンド信号として、ベースバンドスイッチ７に入力される。このときベースバンドスイッチ７が、ベースバンド信号処理部１のダミーデータ処理部４とベースバンドスイッチ５及び無線送受信部１１の送信部１２が接続されるように選択されているために、ダミー送信データは、ベースバンドスイッチ７を通して一方はベースバンドスイッチ５に入力され、他方は予備系の無線送受信部１１の送信部１２に入力される。
【００３９】
このとき一方のダミー送信データは、ベースバンドスイッチ５がベースバンドスイッチ７と他の部が接続されないように選択されているためどこにも出力はされない。また、他方のダミー送信データは、予備系の無線送受信部１１の送信部１２に入力され、ここで送信無線周波数信号に変換される。なお、送信部１２の詳細構成は、図４に示した通りである。送信部１２から出力された送信無線周波数信号は、一方は無線スイッチ１４に入力され、他方は無線スイッチ１６に入力される。
【００４０】
このとき一方の送信無線周波数信号は、無線スイッチ１４が無線送受信部１１の送信部１２と他の部が接続されないように選択されているため、どこにも出力はされない。また、他方の送信無線周波数信号は、無線スイッチ１６が無線送受信部１１の送信部１２と周波数変換部１７が接続されるように選択されているために、周波数変換部１７に入力され、ここで受信無線周波数信号に変換された後、無線スイッチ１６に出力される。
【００４１】
周波数変換部１７は、図６のブロック図に示すように、ローカル信号を発生するＰＬＬ回路４０と、このローカル信号と入力送信無線周波数信号とを受けて入力無線周波数信号を受信無線周波数信号に周波数変換を行うミキサ４１とから構成されている。例えば、送信無線周波数が２１２０ＭＨｚ、受信無線周波数が１９３０ＭＨｚの場合、ミキサ４１は無線スイッチ１６から送信無線周波数２１２０ＭＨｚが入力され、また、ＰＬＬ回路４０からローカル信号１９０ＭＨｚが入力されて、受信無線周波数１９３０（＝２１２０−１９０）ＭＨｚを生成し、無線スイッチ１６に出力する。なお、ミキサ４１で発生した不要輻射は、受信部１０又は受信部１３のフィルタ３１で除去できるため問題ない。
【００４２】
次に、図２に示すように、周波数変換部１７から出力された受信無線周波数信号は無線スイッチ１６に供給される。ここで、無線スイッチ１６は、周波数変換部１７と無線送受信部１１の受信部１３が接続されるように制御されているために、上記の受信無線周波数信号は無線スイッチ１６を通して無線送受信部１１の受信部１３に入力され、ここで、受信ベースバンド信号に変換される。なお、受信部１３の詳細構成は、図５に示した通りである。
【００４３】
受信部１３から出力された受信ベースバンド信号は、ベースバンドスイッチ６とベースバンドスイッチ７に入力される。このときベースバンドスイッチ６は、無線送受信部１１の受信部１３と他の部とが接続されないように制御されているためどこにも出力はされない。また、ベースバンドスイッチ７は、無線送受信部１１の受信部１３がベースバンド信号処理部１のダミーデータ処理部４と接続されるように選択されているために、受信部１３から出力された受信ベースバンド信号は、ベースバンドスイッチ７を通してベースバンド信号処理部１のダミーデータ処理部４に入力される。
【００４４】
ベースバンド信号処理部１のダミーデータ処理部４は、例えば図７に示すブロック図の構成とされている。図７において、ダミーデータ生成部４２は、本来の呼処理とは無関係な無線送受信部の良否判定用の信号として、ダミーデータを生成し、一方は変調器４３に入力し、他方は遅延回路４５に入力する。変調器４３は、入力されたダミーデータに変調をかけ、送信ベースバンド信号として図２のベースバンドスイッチ７に出力する。
【００４５】
現用系運用時は、このベースバンドスイッチ７に出力された送信ベースバンド信号は、図２に太線で示すように、ベースバンドスイッチ７を通して予備系の無線送受信部１１の送信部１２に入力されて送信無線周波数信号に変換された後、無線スイッチ１６を通して周波数変換部１７に入力され、ここで前述したように、受信無線周波数信号に周波数変換され、更に無線スイッチ１６を通して予備系の無線送受信部１１の受信部１３で受信ベースバンド信号に変換され、ベースバンドスイッチ７を通して図７のダミーデータ処理部４の復調器４４に供給され、ここで復調されてダミーデータとされる。
【００４６】
図７の比較回路４６は、ダミーデータ生成部４２から出力されたダミーデータが変調器４３から送信ベースバンド信号として出力され、予備系の無線送受信部１１を通る上記の経路を経て受信ベースバンド信号として復調器４４に戻ってくるまでの伝搬時間分だけ、ダミーデータ生成部４２からのダミーデータを遅延させる時間合わせ用の遅延回路４５からの送信ダミーデータと、上記の経路を経て戻ってきた受信ベースバンド信号を復調する復調器４４からの受信ダミーデータとを比較し、その比較結果に基づいて予備系の無線送受信部１１の故障検出を行う。
【００４７】
例えば、比較回路４６はビットエラーレートや入力レベル等、システムの良否判定をし得る最適なパラメータをもって比較し、受信ダミーデータの方が送信ダミーデータよりも所定値以上品質が劣化しているときには、予備系の無線送受信部１１が故障であると検出する。このように、現用系の無線送受信部８が動作している現用系運用時において、予備系の無線送受信部１１の故障の発生の有無が常時監視されているので、予備系の無線送受信部１１の保守ができ、現用系の無線送受信部８に故障が発生して予備系に切り替えたときには、常に故障の発生のない予備系の無線送受信部１１に切り替えることができる。また、故障検出には、ダミーデータを無線送受信装置内部で伝送して検出するようにしているため、アンテナ共用器の漏洩電力レベルに基づいて故障検出する従来装置に比べて高精度な故障検出ができる。
【００４８】
次に、現用系である無線送受信部８が故障した場合の本実施の形態の動作について説明する。図３は、図１の無線送受信装置において、現用系の無線送受信部８が故障したために予備系を運用している時のベースバンドスイッチ５、ベースバンドスイッチ６、ベースバンドスイッチ７、無線スイッチ１４、無線スイッチ１５及び無線スイッチ１６の接続状態を示し、また信号伝送経路を太線で示す。
【００４９】
現用系である無線送受信部８の故障を検出した場合、ベースバンドスイッチ５、ベースバンドスイッチ６、ベースバンドスイッチ７、無線スイッチ１４、無線スイッチ１５及び無線スイッチ１６がすべて図３に示すように切り替わり、ベースバンド信号処理部１の送信データ処理部２より生成された送信データは、ベースバンド信号としてベースバンドスイッチ５に入力される。
【００５０】
このときベースバンドスイッチ５は、ベースバンド信号処理部１の送信データ処理部２とベースバンドスイッチ７及び無線送受信部１１の送信部１２が接続されるように制御されているために、一方はベースバンドスイッチ７に入力され、他方は予備系の無線送受信部１１の送信部１２に入力される。このとき一方のベースバンド信号は、ベースバンドスイッチ７がベースバンドスイッチ５と他の部が接続されないように選択されているためどこにも出力されない。また、他方のベースバンド信号は、無線送受信部１１の送信部１２に入力され、送信無線周波数信号に変換される。なお、送信部１２の詳細構成は、図４に示した通りである。
【００５１】
送信部１２から出力された送信無線周波数信号は、一方は無線スイッチ１６に入力され、他方は無線スイッチ１４に入力される。このとき一方の送信無線周波数信号は、無線スイッチ１６が無線送受信部１１の送信部１２と他の部が接続されないように選択されているためどこにも出力はされない。また、他方の送信無線周波数信号は、無線スイッチ１４が無線送受信部１１の送信部１２とアンテナ１８が接続されるように選択されているために、無線スイッチ１４を通してアンテナ１８に入力され、アンテナ１８より外部に無線送信される。
【００５２】
一方、アンテナ１９により受信された受信無線周波数信号は、無線スイッチ１５に入力されるが、無線スイッチ１５がアンテナ１９と無線スイッチ１６及び無線送受信部１１の受信部１３が接続されるように選択されているために、一方は無線スイッチ１６に入力され、他方は無線送受信部１１の受信部１３に入力される。このとき一方の受信無線周波数信号は、無線スイッチ１６が無線スイッチ１５と他の部が接続されないように選択されているためどこにも出力されない。また、他方の受信無線周波数信号は、無線送受信部１１の受信部１３に入力され、受信ベースバンド信号に変換される。なお、受信部１３の詳細構成は、図５に示した通りである。受信部１３から出力された受信ベースバンド信号は、一方はベースバンドスイッチ７に入力され、他方はベースバンドスイッチ６に入力される。
【００５３】
このとき一方のベースバンド信号は、ベースバンドスイッチ７が無線送受信部１１の受信部１３と他の部が接続されないように制御されているためどこにも出力されない。また、他方の受信ベースバンド信号は、ベースバンドスイッチ６に入力される。このときベースバンドスイッチ６が、無線送受信部１１の受信部１３とベースバンド信号処理部１の受信データ処理部３が接続されるように制御されているために、受信部１３から出力された受信ベースバンド信号は、ベースバンド信号処理部１の受信データ処理部３に入力される。すなわち、予備系の無線送受信部１１が無線送受信機能部として動作している。
【００５４】
現用系である無線送受信部８が故障した場合、ベースバンド信号処理部１のダミーデータ処理部４より生成されたダミー送信データは、ベースバンド信号として、ベースバンドスイッチ７に入力される。このときベースバンドスイッチ７が、ベースバンド信号処理部１のダミーデータ処理部４とベースバンドスイッチ５及び無線送受信部８の送信部９が接続されるように選択されているために、ベースバンド信号は一方はベースバンドスイッチ５に入力され、他方は現用系の無線送受信部８の送信部９に入力される。このとき一方のベースバンド信号は、ベースバンドスイッチ５がベースバンドスイッチ７と他の部が接続されないように選択されているためどこにも出力はされない。また、他方のベースバンド信号は、現用系の無線送受信部８の送信部９に入力され、送信無線周波数信号に変換される。なお、送信部９の詳細構成は、図４に示した通りである。
【００５５】
送信部９から出力された送信無線周波数信号は、一方は無線スイッチ１４に入力され、他方は無線スイッチ１６に入力される。このとき一方の送信無線周波数信号は、無線スイッチ１４が無線送受信部８の送信部９と他の部が接続されないように選択されているためどこにも出力はされない。また、他方の送信無線周波数信号は、無線スイッチ１６が無線送受信部８の送信部９と周波数変換部１７が接続されるように選択されているために、周波数変換部１７に入力され、送信無線周波数信号を受信無線周波数信号に変換される。なお、周波数変換部１７の詳細構成は、図６に示した通りである。
【００５６】
周波数変換部１７から出力された受信無線周波数信号は、無線スイッチ１６に入力されるが、無線スイッチ１６は、周波数変換部１７と無線送受信部８の受信部１０及び無線スイッチ１５が接続されるように制御されているために、一方は無線スイッチ１５に入力され、他方は無線送受信部８の受信部１０に入力される。このとき一方の受信無線周波数信号は、無線スイッチ１５が無線スイッチ１６と他の部が接続されないように制御されているためどこにも出力はされない。また、他方の無線周波数信号は、無線送受信部８の受信部１０に入力され、ここで受信ベースバンド信号に変換される。なお、受信部１０の詳細構成は、図５に示した通りである。
【００５７】
受信部１０から出力された受信ベースバンド信号は、ベースバンドスイッチ６とベースバンドスイッチ７に入力される。このときベースバンドスイッチ６は、無線送受信部８の受信部１０と他の部とが接続されないように制御されているためどこにも出力はされない。一方、ベースバンドスイッチ７は、無線送受信部８の受信部１０がベースバンド信号処理部１のダミーデータ処理部４と接続されるように制御されているために、受信部１０から出力された受信ベースバンド信号は、ベースバンドスイッチ７を通してベースバンド信号処理部１のダミーデータ処理部４に入力される。
【００５８】
ダミーデータ処理部４は前述したように、現用系運用時と同様の動作を行い、内部で生成して送信されるダミーデータと、受信部１０から出力された受信ベースバンド信号を復調して得た受信ダミーデータとを比較し、その比較結果に基づいて、現用系の無線送受信部８の故障検出を行う。なお、ダミーデータ処理部４の詳細構成は、図７に示した通りである。このように、この実施の形態では、予備系運用時に現用系の無線送受信部８の故障検出をしているため、故障した現用系の無線送受信部８の故障発生部を交換した後、現用系の無線送受信部８の良否判定ができ、再び現用系の無線送受信部８に切り替わっても故障していることがない。
【００５９】
次に、本発明の他の実施の形態について説明する。図８及び図９はそれぞれ本発明になる無線送受信装置の他の実施の形態の現用系運用時及び予備系運用時のブロック図を示す。両図中、図１と同一構成部分には同一符号を付してある。ただし、図８及び図９では、ベースバンドスイッチ５、ベースバンドスイッチ６、無線スイッチ１４及び無線スイッチ１５が、１回路２接点型から２回路２接点型へ変更され、ベースバンドスイッチ７及び無線スイッチ１６が、２回路２接点型から２回路３接点型へ変更されている。図８及び図９に示す実施の形態は、現用系の無線送受信部が２つで、予備系の無線送受信部が１つの場合の例である。
【００６０】
図８は、本発明装置の他の実施の形態の現用系運用時のベースバンドスイッチ５、ベースバンドスイッチ６、ベースバンドスイッチ７、無線スイッチ１４、無線スイッチ１５及び無線スイッチ１６の接続状態を示し、また信号伝送経路を太線で示す。現用系運用時、ベースバンド信号処理部１の送信データ処理部２より生成された一方の送信データは、第１のベースバンド信号として、ベースバンドスイッチ５に入力される。このときベースバンドスイッチ５が、ベースバンド信号処理部１の送信データ処理部２と無線送受信部８の送信部９が接続されるように制御されているために、第１のベースバンド信号は現用系の無線送受信部８の送信部９に入力され、第１の送信無線周波数信号に変換される。
【００６１】
また、他方の送信データは、第２のベースバンド信号として、ベースバンドスイッチ５に入力される。このときベースバンドスイッチ５が、ベースバンド信号処理部１と無線送受信部４７の送信部４８が接続されるように制御されているために、第２のベースバンド信号は現用系の無線送受信部４７の送信部４８に入力され、第２の送信無線周波数信号に変換される。
【００６２】
送信部９から出力された第１の送信無線周波数信号は、無線スイッチ１４に入力されるが、無線スイッチ１４が、無線送受信部８の送信部９とアンテナ１８が接続されるように制御されているために、無線スイッチ１４を通してアンテナ１８に入力され、これより無線送信される。また、送信部４８から出力された第２の送信無線周波数信号は、無線スイッチ１４に入力されるが、無線スイッチ１４が、無線送受信部４７の送信部４８とアンテナ５０が接続されるように制御されているために、無線スイッチ１４を通してアンテナ５０に入力され、これより無線送信される。
【００６３】
一方、アンテナ１９により受信された第１の受信無線周波数信号は、無線スイッチ１５に入力されるが、無線スイッチ１５が、アンテナ１９と無線送受信部８の受信部１０が接続されるように制御されているために、無線送受信部８の受信部１０に入力され、第１の受信ベースバンド信号に変換された後、ベースバンドスイッチ６に入力される。このとき、ベースバンドスイッチ６が、無線送受信部８の受信部１０とベースバンド信号処理部１の受信データ処理部３が接続されるように制御されているため、受信部１０からの第１の受信ベースバンド信号は、ベースバンドスイッチ６を通してベースバンド信号処理部１の受信データ処理部３に入力され、現用系の無線送受信部８が第１の無線送受信機能部として動作している。
【００６４】
また、これと同時にアンテナ５１により受信された第２の受信無線周波数信号は、無線スイッチ１５に入力されるが、無線スイッチ１５が、アンテナ５１と無線送受信部４７の受信部４９が接続されるように制御されているために、無線送受信部４７の受信部４９に入力され、第２の受信ベースバンド信号に変換された後、ベースバンドスイッチ６に入力される。このとき、ベースバンドスイッチ６が、無線送受信部４７の受信部４９とベースバンド信号処理部１の受信データ処理部３が接続されるように制御されているため、受信部４９からの第２の受信ベースバンド信号は、ベースバンドスイッチ６を通してベースバンド信号処理部１の受信データ処理部３に入力され、現用系の無線送受信部４７が第２の無線送受信機能部として動作している。
【００６５】
また、ベースバンド信号処理部１のダミーデータ処理部４より出力されたダミーデータの送信ベースバンド信号は、前述したように、現用系運用時は、図８に太線で示すように、ベースバンドスイッチ７を通して予備系の無線送受信部１１の送信部１２に入力されて送信無線周波数信号に変換された後、無線スイッチ１６を通して周波数変換部１７に入力されて受信無線周波数信号に周波数変換され、更に無線スイッチ１６を通して予備系の無線送受信部１１の受信部１３で受信ベースバンド信号に変換され、ベースバンドスイッチ７を通してダミーデータ処理部４に入力される。ダミーデータ処理部４は送信するダミーデータと受信ベースバンド信号を復調したダミーデータとを比較して無線送受信部１１の故障検出をする。
【００６６】
次に、本実施の形態の現用系の一つの無線送受信部が故障したときの動作について説明する。図９は、本発明装置の他の実施の形態の現用系である無線送受信部８が故障した場合のベースバンドスイッチ５、ベースバンドスイッチ６、ベースバンドスイッチ７、無線スイッチ１４、無線スイッチ１５及び無線スイッチ１６の接続状態を示し、また信号伝送経路を太線で示す。
【００６７】
無線送受信部８が故障した場合は、ベースバンドスイッチ５でベースバンド信号処理部１の送信データ処理部２と無線送受信部８の送信部９が接続されず、ベースバンド信号処理部１の送信データ処理部２と予備系の無線送受信部１１の送信部１２が接続されるように切り替え、ベースバンドスイッチ６でベースバンド信号処理部１の受信データ処理部３と無線送受信部８の受信部１０が接続されず、ベースバンド信号処理部１の受信データ処理部３と予備系の無線送受信部１１の受信部１３が接続されるように切り替え、ベースバンドスイッチ７でベースバンド信号処理部１のダミーデータ処理部４と無線送受信部１１の送信部１２及び受信部１３が接続されず、ベースバンド信号処理部１のダミーデータ処理部４と無線送受信部８の送信部９及び受信部１０が接続されるように切り替える。
【００６８】
また、無線スイッチ１４でアンテナ１８と無線送受信部８の送信部９が接続されず、アンテナ１８と無線送受信部１１の送信部１２が接続されるように切り替え、無線スイッチ１５でアンテナ１９と無線送受信部８の受信部１０が接続されず、アンテナ１９と無線送受信部１１の受信部１３が接続されるように切り替え、無線スイッチ１６で周波数変換部１７と無線送受信部１１の送信部１２及び受信部１３が接続されず、周波数変換部１７と無線送受信部８の送信部９及び受信部１０が接続されるように切り替えることにより、無線送受信部４７は現用系運用時と変わらず、予備系の無線送受信部１１を無線送受信部８の代わりに無線送受信機能として動作させることができ、かつ、無線送受信部８とダミーデータ処理部４を接続し無線送受信部８の故障検出ができる。
【００６９】
また、無線送受信部４７が故障した場合は、ベースバンドスイッチ５でベースバンド信号処理部１の送信データ処理部２と無線送受信部４７の送信部４８が接続されず、ベースバンド信号処理部１の送信データ処理部２と予備系の無線送受信部１１の送信部１２が接続されるように切り替え、ベースバンドスイッチ６でベースバンド信号処理部１の受信データ処理部３と無線送受信部４７の受信部４９が接続されず、ベースバンド信号処理部１の受信データ処理部３と予備系の無線送受信部１１の受信部１３が接続されるように切り替え、ベースバンドスイッチ７でベースバンド信号処理部１のダミーデータ処理部４と無線送受信部１１の送信部１２及び受信部１３が接続されず、ベースバンド信号処理部１のダミーデータ処理部４と無線送受信部４７の送信部４８及び受信部４９が接続されるように切り替える。
【００７０】
また、無線スイッチ１４でアンテナ５０と無線送受信部４７の送信部４８が接続されず、アンテナ５０と無線送受信部１１の送信部１２が接続されるように切り替え、無線スイッチ１５でアンテナ５１と無線送受信部４７の受信部４９が接続されず、アンテナ５１と無線送受信部１１の受信部１３が接続されるように切り替え、無線スイッチ１６で周波数変換部１７と無線送受信部１１の送信部１２及び受信部１３が接続されず、周波数変換部１７と無線送受信部４７の送信部４８及び受信部４９が接続されるように切り替えることにより、無線送受信部８は現用系運用時と変わらず、予備系の無線送受信部１１を無線送受信部４７の代わりに無線送受信機能として動作させることができ、かつ、無線送受信部４７とダミーデータ処理部４を接続し無線送受信部４７の故障検出ができる。
【００７１】
なお、本発明は以上の実施の形態に限定されるものではなく、例えば現用系の無線送受信部が３以上のＮ個であっても構成できる。この場合は、ハード変更が無線送受信部がＮ個増加によるアンテナのＮ個増加の他、ベースバンドスイッチ５、ベースバンドスイッチ６、無線スイッチ１４及び無線スイッチ１５が、１回路２接点型からＮ回路２接点型への変更と、ベースバンドスイッチ７及び無線スイッチ１６が、２回路２接点型から２回路（Ｎ＋１）接点型への変更が必要となる。
【００７２】
動作は現用系の無線送受信部が２個の場合と同様に、故障した無線送受信部を、ベースバンドスイッチ５、ベースバンドスイッチ６、無線スイッチ１４及び無線スイッチ１５により、ベースバンド信号処理部１の送信データ処理部２と受信データ処理部３とアンテナから切り離し、かつ、ベースバンドスイッチ７及び無線スイッチ１６により、ベースバンド信号処理部１のダミーデータ処理部４及び周波数変換部１７と接続させる。また、予備系の無線送受信部１１を、ベースバンドスイッチ５、ベースバンドスイッチ６、無線スイッチ１４及び無線スイッチ１５により、ベースバンド信号処理部１の送信データ処理部２と受信データ処理部３とアンテナと接続させ、かつ、ベースバンドスイッチ７及び無線スイッチ１６により、ベースバンド信号処理部１のダミーデータ処理部４及び周波数変換部１７から切り離す。
【００７３】
これにより、現用系の無線送受信部が３以上のＮ個であっても、正常な無線送受信部は現用系運用時と変わらず、予備系の無線送受信部１１を故障した無線送受信部の代わりに無線送受信機能として動作させることができ、かつ、交換した無線送受信部とダミーデータ処理部４を接続するため、交換した無線送受信部の故障検出ができる。
【００７４】
【発明の効果】
以上説明したように、本発明によれば、現用系運用時に予備系の無線送受信部の送信部と受信部を周波数変換部を経由して接続し、予備系の無線送受信部とベースバンド信号処理部の間でダミーデータの送受信を行い、ベースバンド信号処理部にて生成したダミーデータと受信した受信ベースバンド信号の復調ダミーデータとを比較することにより、現用系運用時でも予備系の無線送受信部の故障検出が従来に比べて簡単かつ安価な構成で、しかも高精度で行え、予備系の保守ができる。よって、現用系の無線送受信部に故障が発生し、予備系に切り替えた時の不具合を解消できる。
【００７５】
また、本発明によれば、故障検出した現用系の無線送受信部の交換後に交換した現用系の無線送受信部とベースバンド信号処理部の間でダミーデータの送受信を行い、ベースバンド信号処理部にて生成したダミーデータと受信した受信ベースバンド信号の復調ダミーデータとを比較することにより、交換した現用系の無線送受信部の良否判定も行え、再び現用系の交換後の無線送受信部に切り替わっても故障していることがないので、システムダウンを引き起こすことがく、無線送受信装置の信頼性を向上することができる。
【図面の簡単な説明】
【図１】本発明の無線送受信装置の一実施の形態のブロック図である。
【図２】図１の現用系運用時のスイッチの接続と信号の流れを示す図である。
【図３】図１の現用系故障時のスイッチの接続と信号の流れを示す図である。
【図４】図１中の送信部の一例のブロック図である。
【図５】図１中の受信部の一例のブロック図である。
【図６】図１中の周波数変換部の一例のブロック図である。
【図７】図１中のダミーデータ処理部の一例のブロック図である。
【図８】本発明の他の実施の形態の現用系運用時のスイッチの接続と信号の流れを示す図である。
【図９】本発明の他の実施の形態の現用系故障時のスイッチの接続と信号の流れを示す図である。
【符号の説明】
１  ベースバンド信号処理部
２  送信データ処理部
３  受信データ処理部
４  ダミーデータ処理部
５、６、７  ベースバンドスイッチ
８、１１、４７  無線送受信部
９、１２、４８  送信部
１０、１３、４９  受信部
１６  無線スイッチ
１７  周波数変換部
１８、１９、５０、５１  アンテナ
２０、３９  ディジタルフィルタ
２１  Ｄ／Ａ変換器
２２、２６、３２、３６、４０  ＰＬＬ回路
２３、２７、３３、３７、４１  ミキサ
２４、２８、３１、３４  フィルタ
２５、２９、３０、３５  アンプ
３８  Ａ／Ｄ変換器
４２  ダミーデータ生成部
４３  変調器
４４  復調器
４５  遅延回路
４６  比較回路
１００〜１２３  端子
【図１】
0003607554.tif 000002
【図２】
0003607554.tif 000003
【図３】
0003607554.tif 000004
【図４】
0003607554.tif 000005
【図５】
0003607554.tif 000006
【図６】
0003607554.tif 000007
【図７】
0003607554.tif 000008
【図８】
0003607554.tif 000009
【図９】
0003607554.tif 000010